(57)【要約】【課題】照明器具の放熱性を向上させることである。【解決手段】実施形態の一例である照明器具１０は、光源１１と、器具本体１２と、器具本体１２の下端部に固定される枠体１３とを備える。器具本体１２は、光源１１を収容する有天筒状の収容部２０と、少なくとも収容部２０の天部２２に立設し、収容部２０の軸方向に沿った上下方向（第１方向）および当該方向に直交する第２方向に沿って複数形成された板状の放熱フィン３０とを有する。複数の放熱フィン３０の少なくとも一部は、第２方向のうちの一の方向である所定方向に延びて、収容部２０の所定方向両端から外側に張り出す。器具本体１２の下端部は、少なくとも所定方向両側で当該方向に縮小し、かつ隣り合う放熱フィン３０の少なくとも一部の間隙３６は上下方向両端が開口している。【選択図】図１
2019029202.tif 000002
【特許請求の範囲】
【請求項１】
光源と、
前記光源を収容する有天筒状の収容部と、少なくとも前記収容部の天部に立設し、前記収容部の軸方向に沿った第１方向および当該方向と直交する第２方向に沿って複数形成された板状の放熱フィンとを有する器具本体と、
前記収容部の開口側に位置する前記器具本体の第１方向一端部に固定される枠体と、
を備え、
複数の前記放熱フィンの少なくとも一部は、前記第２方向のうちの一の方向である所定方向に延びて、前記収容部の前記所定方向両端から外側に張り出し、
前記器具本体の前記第１方向一端部は、少なくとも前記所定方向両側で当該方向に縮小し、かつ隣り合う前記放熱フィンの少なくとも一部の間隙は前記第１方向両端が開口している、照明器具。
【請求項２】
前記器具本体は、前記光源よりも前記第１方向一端側に位置する部分が、少なくとも前記所定方向両側で当該方向に縮小している、請求項１に記載の照明器具。
【請求項３】
前記器具本体は、前記放熱フィンとして、
少なくとも前記光源より前記第１方向他端側に形成され、前記収容部の端から前記第２方向に張り出した複数の上部フィンと、
少なくとも前記光源より前記第１方向一端側に形成され、前記上部フィンよりも前記第２方向の長さが短い複数の下部フィンと、
を有し、隣り合う前記上部フィンの各々の間隙は前記第１方向両端が開口している、請求項２に記載の照明器具。
【請求項４】
前記光源は、前記収容部内において前記天部に固定され、
前記上部フィンの各々は前記天部に立設し、前記下部フィンの各々は前記収容部の筒壁から外側に張り出している、請求項３に記載の照明器具。
【請求項５】
前記光源に接続されるリード線をさらに備え、
少なくとも１つの前記上部フィンの下部には、前記第２方向の外端から当該方向に沿って前記リード線係止用の切込みが形成されている、請求項３または４に記載の照明器具。
【請求項６】
前記上部フィンおよび前記下部フィンの各々は、前記所定方向に沿って形成されている、請求項３〜５のいずれか１項に記載の照明器具。
【請求項７】
前記器具本体は、前記放熱フィンとして、前記収容部の前記天部に立設して前記所定方向と直交する方向に延びたセンターフィンを有し、
前記上部フィンの各々は、前記センターフィンによって連結されている、請求項３〜６のいずれか１項に記載の照明器具。
【請求項８】
前記センターフィンは、前記収容部の端から前記所定方向と直交する方向に張り出し、
前記器具本体は、前記放熱フィンとして、前記センターフィンの当該張り出し部から前記所定方向両側に延びた補助フィンを有する、請求項７に記載の照明器具。
【請求項９】
複数の前記放熱フィンの少なくとも１つは、前記収容部の中央側に位置する部分よりも前記第２方向の外端側で薄肉に形成されている、請求項１〜８のいずれか１項に記載の照明器具。
【発明の詳細な説明】
【技術分野】
【０００１】
本開示は、照明器具に関する。
【背景技術】
【０００２】
従来、光源を収容する器具本体を備え、器具本体の開口を鉛直下方に向けた状態で天井の埋め込み孔に挿入される天井埋め込み型の照明器具が広く知られている。このような照明器具は、一般的にダウンライトと呼ばれる。例えば、特許文献１には、スリット入りのベースプレートの各スリットに板状の放熱フィンを複数挿入し、各放熱フィンを２枚のベースプレートで挟んでなるヒートシンクＡＳＳＹを備えた照明器具が開示されている。この照明器具は、光源を収容する器具本体上に、ヒートシンクＡＳＳＹを取り付けた構造を有する。
【先行技術文献】
【特許文献】
【０００３】
【特許文献１】特開２０１４−２２３１４号公報
【発明の概要】
【発明が解決しようとする課題】
【０００４】
ところで、照明器具では、光源が点灯時に発熱するため、器具の温度上昇を抑制すべく器具の放熱性を向上させることが重要な課題となる。特に、照明器具の重量増、大型化等を招くことなく、放熱性を向上させることが望まれる。なお、特許文献１の照明器具は、放熱性について未だ改良の余地がある。
【課題を解決するための手段】
【０００５】
本開示の一態様である照明器具は、光源と、前記光源を収容する有天筒状の収容部と、少なくとも前記収容部の天部に立設し、前記収容部の軸方向に沿った第１方向および当該方向と直交する第２方向に沿って複数形成された板状の放熱フィンとを有する器具本体と、前記収容部の開口側に位置する前記器具本体の第１方向一端部に固定される枠体とを備え、複数の前記放熱フィンの少なくとも一部は、前記第２方向のうちの一の方向である所定方向に延びて、前記収容部の前記所定方向両端から外側に張り出し、前記器具本体の前記第１方向一端部は、少なくとも前記所定方向両側で当該方向に縮小し、かつ隣り合う前記放熱フィンの少なくとも一部の間隙は前記第１方向両端が開口していることを特徴とする。
【発明の効果】
【０００６】
本開示の一態様である照明器具によれば、良好な放熱性が得られ、器具の温度上昇を抑制できる。
【図面の簡単な説明】
【０００７】
【図１】実施形態の一例である照明器具を上方から見た斜視図である。
【図２】実施形態の一例である照明器具を下方から見た斜視図である。
【図３】図１中のＡＡ線断面図である。
【図４】実施形態の一例である照明器具の上側部分を示す斜視図である。
【図５】実施形態の一例である照明器具の下側部分を示す斜視図である。
【図６】実施形態の一例である器具本体を上方から見た斜視図である。
【図７】実施形態の一例である器具本体を下方から見た斜視図である。
【図８】実施形態の一例である照明器具の上側部分の分解斜視図である。
【図９】実施形態の一例である器具本体のスリットが形成された部分およびその近傍の拡大図である。
【図１０】実施形態の一例であるパッキンの斜視図である。
【発明を実施するための形態】
【０００８】
以下、図面を参照しながら、本開示に係る照明器具の実施形態の一例について詳細に説明する。実施形態の説明では、説明の便宜上、照明器具を水平な天井に取り付けた状態で、照明器具の鉛直上方側を「上」、鉛直下方側を「下」とし、器具本体と枠体が並ぶ方向（収容部の軸方向）を「上下方向」とする。なお、本明細書において、「略〜」との記載は、略平行を例に説明すると、完全に平行な状態および実質的に平行と認められる状態を含む意図である。
【０００９】
本開示に係る照明器具は、図書館、駅等の公共施設、デパート等の商業施設、店舗、オフィス、住居、工場等の室内、通路などにおいて水平な天井に取り付けられるが、水平方向および鉛直方向に対して傾斜した天井に取り付けることも可能である。照明器具が取り付けられる天井は、建築空間の上方を区画する部位であればよく、例えば玄関ポーチ、テラスなどの天井であってもよい。
【００１０】
図１は、実施形態の一例である照明器具１０の全体を上方から見た斜視図である。図２は、照明器具１０の全体を下方から見た斜視図である。図３は、図１中のＡＡ線断面図である。図４は照明器具１０の上側部分の斜視図、図５は照明器具１０の下側部分の斜視図である。図１〜図４では、リード線１７の図示を省略している。以下では、説明の便宜上、収容部２０の軸方向に沿った第１方向を「Ｚ方向または上下方向」とし、第１方向に直交する第２方向を「ＸＹ平面方向」とする。
【００１１】
図１〜図５に示すように、照明器具１０は、光源１１と、光源１１を収容する有天筒状の収容部２０および板状の放熱フィン３０を有する器具本体１２と、収容部２０の開口側に位置する器具本体１２の下端部（第１方向一端部）に固定される枠体１３とを備える。放熱フィン３０は、少なくとも収容部２０の天部２２に立設し、上下方向（Ｚ方向）およびＸＹ平面方向に沿って複数形成されている。複数の放熱フィン３０の少なくとも一部は、ＸＹ平面方向のうちの一の方向である所定方向に延びて、収容部２０の所定方向両端から外側に張り出している。
【００１２】
照明器具１０では、器具本体１２の下端部が少なくとも上記所定方向両側で当該方向に縮小し、かつ隣り合う放熱フィン３０の少なくとも一部の間隙３６は上下方向両端が開口している。器具本体１２の下端部を縮小させて放熱フィン３０が外側に張り出した形状とすることで、上下方向両端が開口した放熱フィン３０の間隙３６が形成され、また放熱フィン３０の下方にフィンと垂直な方向に連通した空間が形成される。つまり、放熱フィン３０の上下に障害物が無いため、放熱フィン３０の間隙３６に空気が流入し易くなり、効率良く対流が起こって高い放熱効果が得られる。
【００１３】
照明器具１０は、収容部２０の開口を鉛直下方に向けた状態で、天井に形成された埋め込み孔に挿入されて天井に取り付けられる。照明器具１０は、天井埋め込み型の器具であって、一般的にダウンライトと呼ばれる。照明器具１０の取り付け方法は特に限定されないが、一例としては、照明器具１０が挿入される天井裏空間に設置された吊り金具を用いる方法が挙げられる。吊り金具は、例えば先端部にネジが切られた棒状の金具であって、枠体１３に固定される。
【００１４】
照明器具１０では、器具本体１２の下端に形成された収容部２０の開口から光源１１の光が出射される。収容部２０内には反射体２７（図３、後述の図８参照）が設置されており、光源１１の光の一部は反射体２７で反射されて当該開口から下方に出射される。反射体２７は、軸方向に垂直な断面が略真円形状で軸方向両端（上下両端）が開口しており、下端に近づくほど拡径した末広がりの形状を有する。反射体２７の内面には、蒸着、メッキ、スパッタリング等により金属層が形成されていてもよく、研磨等により鏡面仕上げされていてもよい。或いは、白色顔料を含有する白色の塗膜が形成されていてもよい。
【００１５】
照明器具１０は、枠体１３に固定された筒体１４を備える。筒体１４は、軸方向が照明器具１０の上下方向に沿うように枠体１３内に配置されている。筒体１４は、反射体２７と同様に、軸方向に垂直な断面が略真円形状で、下端に近づくほど拡径している。収容部２０の開口から出射された照明光は、筒体１４の上端開口から筒体１４内に導入され、筒体１４の下端開口から出射される。筒体１４は、補助反射体として機能することが好ましい。この場合、筒体１４の内面には、反射体２７と同様の反射面が形成される。
【００１６】
筒体１４は、リング状の筒体用支持部材４８、および当該部材に固定された少なくとも２つの係合バネ４９を用いて枠体１３に固定される。照明器具１０では、筒体用支持部材４８が筒体１４の上端開口の周縁に係合すると共に、係合バネ４９が枠体１３の上枠４０に形成された貫通孔４５に挿し込まれることで、筒体１４が枠体１３に固定されている。係合バネ４９には、例えばトーションバネが使用される。
【００１７】
光源１１は、器具本体１２の収容部２０内において天部２２に固定されることが好適である。光源１１を構成する発光素子は、半導体発光素子であることが好ましく、中でもＬＥＤ（Ｌｉｇｈｔ  Ｅｍｉｔｔｉｎｇ  Ｄｉｏｄｅ）が特に好ましい。発光素子は、蛍光体を含む封止層で封止されていてもよい。この場合、光源１１は、蛍光体によって発光素子の光の一部をより長波長の光に変換することで白色光を出射する。光源１１は、例えば回路基板１８に複数実装され、発光モジュール１９を構成する。
【００１８】
照明器具１０は、光源１１に接続されるリード線１７（図８参照）を備える。本実施形態では、リード線１７が発光モジュール１９の回路基板１８を介して光源１１に接続されている。照明器具１０は、一般的に、発光モジュール１９に供給する電力を制御する電源装置（図示せず）を備える。電源装置は、例えばスイッチ、リモコン等の操作信号、または人感センサ、照度センサ等の検知信号に基づいて供給電力を制御する。リード線１７は、収容部２０から引き出されて電源装置に接続される。
【００１９】
照明器具１０は、さらに、器具本体１２の収容部２０の開口を塞ぐ透光性カバー１５と、器具本体１２に固定され、透光性カバー１５を支持する支持部材１６とを備えることが好ましい。透光性カバー１５は、反射体２７の下端開口よりも大きな略円板形状を有し、反射体２７と支持部材１６との間に配置される。照明器具１０には、反射体２７の外側に装着された、反射体２７と同様の形状を有するゴム部材２８が設けられており、透光性カバー１５の周縁と支持部材１６の間にはゴム部材２８が介在している。ゴム部材２８は、例えばシリコーンゴムで構成される。
【００２０】
透光性カバー１５は、ガラス板、樹脂板等の透明な部材である。なお、透光性カバー１５は、光拡散用のフィラーまたはボイドを含有する乳白色の透光部材であってもよく、また入射面と出射面とで光を成形するレンズ機能を有していてもよい。透光性カバー１５は、収容部２０に収容された発光モジュール１９を覆って保護すると共に、発光モジュール１９の光源１１から出射される光を透過または拡散透過させる機能を有する。
【００２１】
図３および図４に示すように、支持部材１６は、器具本体１２の下部に形成される収容部２０に固定される。支持部材１６は、透光性カバー１５よりも外径が大きく、内径がやや小さなリング状の部材である。本実施形態では、収容部２０の開口の周縁に外側に張り出したフランジ２３が形成されており、フランジ２３の下面に支持部材１６がネジ止めされている。支持部材１６を収容部２０に固定することで、透光性カバー１５等が支持され、また後述のスリット２４を塞ぐパッキン５０が支持される。
【００２２】
照明器具１０は、上述のように、収容部２０および複数の放熱フィン３０を有する器具本体１２の下端部に、筒体１４を保持する枠体１３が固定された構造を有する。照明器具１０では、収容部２０のフランジ２３の下面に、支持部材１６を介して枠体１３がネジ止めされている。器具本体１２の下部は、枠体１３の直径よりも小さく、枠体１３内に挿入された状態で枠体１３と連結されている。
【００２３】
器具本体１２の収容部２０は、筒壁２１と、天部２２とを有し、天部２２によって軸方向他端（上端）が塞がれた形状を有する。収容部２０の軸方向一端（下端）は、上述の通り開口しており、開口の周縁にはフランジ２３が形成されている。また、筒壁２１には、リード線挿通用のスリット２４が形成されている。照明器具１０は、筒壁２１に取り付けられ、リード線１７が通るスペースを残してスリット２４を塞ぐパッキン５０を備える。
【００２４】
収容部２０は、略円筒状に形成されており、フランジ２３が形成された下端部で直径が最大となっている。すなわち、フランジ２３の先端（外端）が、収容部２０のＸＹ平面方向の外端となる。なお、フランジ２３の先端は大部分が円弧状に形成されているが、一部分が直線状に形成されている（図４参照）。この直線状に形成された部分は、器具本体１２と枠体１３を結合する際の位置決めに利用される。
【００２５】
本実施形態では、光源１１を含む発光モジュール１９が、収容部２０内において天部２２に固定されている。そして、天部２２は、発光モジュール１９が固定される範囲の少なくとも一部が厚肉に形成されている（図３参照）。この場合、天部２２の熱容量を大きくすることができる。当該厚肉部には、後述する上部フィン３１およびセンターフィン３３が接続されるので、光源１１で発生した熱を効率良くフィンに伝達することができる。
【００２６】
複数の放熱フィン３０の少なくとも１つは、ＸＹ平面方向のうちの一の方向である所定方向（以下、「Ｘ方向」とする）に延びて、収容部２０のＸ方向両端から外側に張り出している。そして、器具本体１２の下端部は、少なくともＸ方向両側で当該方向に縮小している。また、隣り合う放熱フィン３０の少なくとも一部の間隙３６は、上下方向両端が開口している。
【００２７】
この場合、放熱フィン３０のＸ方向外側に張り出した部分の下方に、Ｘ方向に直交する方向（以下、「Ｙ方向」とする）に連通した空間が形成される。このため、当該張り出し部の下から放熱フィン３０の間隙３６に空気が流入し易くなり、効率良く対流が起こって優れた放熱特性が得られる。
【００２８】
器具本体１２は、光源１１を含む発光モジュール１９よりも枠体１３側に位置する部分が、少なくともＸ方向両側で当該方向に縮小していることが好ましい。器具本体１２は、放熱フィン３０として、複数の上部フィン３１と、複数の下部フィン３２とを有する。上部フィン３１は、少なくとも光源１１より上側（第１方向他端側）に形成され、収容部２０の端からＸＹ平面方向に張り出している。下部フィン３２は、少なくとも光源１１より下側（第１方向一端側）に形成され、上部フィン３１よりもＸＹ平面方向の長さが短くなっている。
【００２９】
器具本体１２では、上部フィン３１および下部フィン３２の各々がＸ方向に沿って形成されている。そして、下部フィン３２のＸ方向の長さを上部フィン３１のＸ方向の長さよりも短くすることで、器具本体１２の発光モジュール１９よりも枠体１３側に位置する部分がＸ方向に縮小している。また、上部フィン３１の各々が収容部２０の天部２２に立設し、下部フィン３２の各々が収容部２０の筒壁２１から外側に張り出している。
【００３０】
器具本体１２は、放熱フィン３０として、収容部２０の天部２２に立設してＹ方向に延びたセンターフィン３３を有し、上部フィン３１の各々がセンターフィン３３によって連結されていることが好ましい。この場合、光源１１で発生した熱の一部はセンターフィン３３を介して上部フィン３１の先端側（Ｘ方向端部側）に拡散する。上部フィン３１およびセンターフィン３３は、上述のように、天部２２の厚肉部に接続されている。センターフィン３３を設けることで、器具本体１２の放熱性を向上させることができる。
【００３１】
なお、各放熱フィン３０は、ＸＹ平面方向の複数の方向に沿って形成されてもよい。例えば、収容部２０の中心軸の周囲に、複数の放熱フィン３０が放射状に形成されていてもよい。この場合も、放熱フィン３０は少なくとも収容部２０の所定方向両端から外側に張り出し、器具本体１２の下端部は少なくとも所定方向両側で当該方向に縮小する。
【００３２】
枠体１３は、筒体１４を保持し、また照明器具１０を天井に取り付ける際に利用される。本実施形態では、枠体１３の上枠４０に、上記吊り金具の先端部を挿通可能な貫通孔４６が形成されている。例えば、貫通孔４６に挿通された吊り金具の先端部にナットを取り付けることで、枠体１３を吊り金具に固定することができる。また、枠体１３は、器具本体１２の収容部２０および筒体１４の軸方向が一致した状態で、収容部２０と筒体１４を上下方向に並べて配置させる。これにより、収容部２０内に配置された反射体２７と筒体１４が接続され、照明光の導通路が形成される。
【００３３】
枠体１３は、上枠４０と、下枠４１と、これら２つの枠を連結する連結フレーム４２とで構成されている。上枠４０および下枠４１は、いずれも略円環状を呈し、その内側に筒体１４を収容できる寸法で形成される。下枠４１は、筒体１４の下端部と略同じＸＹ平面上に位置し、筒体１４の下端部を外側から支持する。連結フレーム４２は、例えば上枠４０および下枠４１の周方向に略一定の間隔をあけて複数設けられる。各連結フレーム４２の上下方向長さは、筒体１４の上下方向長さよりも長く、上枠４０と下枠４１の間に筒体１４を収容できる距離を確保する。
【００３４】
上枠４０は、内径が収容部２０のフランジ２３よりも大きな略円環状の基部４３と、支持部材１６を介してフランジ２３の下面に固定される複数の固定片４４とを有する。図５に示すように、基部４３には、係合バネ４９が挿し込まれる２つの貫通孔４５と、上記吊り金具の先端部が挿通される２つの貫通孔４６とが形成されている。貫通孔４５，４６は、それぞれ基部４３の径方向に並んで形成されることが好ましい。
【００３５】
上枠４０には、基部４３の径方向に並ぶ２つの固定片４４が形成されている。固定片４４の各々は、基部４３から下枠４１側に延出し、途中で基部４３の径方向内側に折れ曲がった略Ｌ字形状を有する。固定片４４は、器具本体１２を下から支え、収容部２０のフランジ２３に支持部材１６を介してネジ止めされる。本実施形態では、固定片４４と筒体１４との間にリング状カバー４７が設けられている。リング状カバー４７は、支持部材１６および固定片４４がネジ止めされたフランジ２３の下面を覆って、ネジ等が下から見えないように隠蔽する。リング状カバー４７は、略円環形状を有し、固定片４４に下から固定される。
【００３６】
なお、枠体１３は上述の構造を有するものに限定されない。例えば、固定片４４、貫通孔４５，４６は３つ以上存在してもよい。また、上枠４０および下枠４１は、矩形の枠状に形成されてもよい。上枠４０および下枠４１の形状は、器具本体１２の形状、或いは筒体１４の形状に応じて変更可能である。
【００３７】
以下、図６〜図８を参照しながら、器具本体１２について、さらに詳説する。図６は器具本体１２を上方から見た斜視図、図７は器具本体１２を下方から見た斜視図である。図８は、照明器具１０の上側部分の分解斜視図であって、収容部２０から引き出されたリード線１７を図示している。
【００３８】
図６〜図８に示すように、器具本体１２は、収容部２０よりも上下方向に長く延びた複数の上部フィン３１を備える。上部フィン３１は、収容部２０のフランジ２３の先端を超えてＸ方向に張り出している。また、器具本体１２の下部には、上部フィン３１よりも上下方向およびＸ方向に短い複数の下部フィン３２が形成されている。上部フィン３１および下部フィン３２は、上下方向に並んで配置されることが好ましい。この場合、隣り合う上部フィン３１の間隙３６の下端開口が広くなって間隙３６に空気が流入し易くなり、放熱性がさらに向上する。器具本体１２は、例えばダイカスト法により成形できる。
【００３９】
上部フィン３１の上下方向長さは、例えば収容部２０の上下方向長さの１．５倍〜５倍、好ましくは２倍〜４倍であり、器具本体１２の上下方向長さの６０％〜８５％を占める。下部フィン３２は、収容部２０の上下方向の略全長にわたって形成されることが好ましく、例えば筒壁２１と略同じ上下方向長さを有する。本実施形態では、フランジ２３の先端よりも外側に張り出さない程度のＸ方向長さで、各下部フィン３２が形成されている。
【００４０】
器具本体１２において、光源１１で発生した熱は、上部フィン３１側に伝搬され易い。例えば、光源１１で発生した熱の多くは、上下方向およびＸ方向に沿って大きく形成された上部フィン３１によって放熱される。ただし、筒壁２１からＸ方向に張り出す下部フィン３２を設けることで、器具本体１２の放熱性がさらに向上する。複数の下部フィン３２は、筒壁２１の周囲に複数の凹凸を形成して表面積を大きくし、光源１１に近い部分の放熱性を向上させる。
【００４１】
なお、筒壁２１の周囲に下部フィン３２を形成せず、筒壁２１の厚みを増加させて凹部が存在しない構造とすることも可能であるが、放熱性、軽量性等の観点から、下部フィン３２を形成することが好ましい。
【００４２】
器具本体１２は、上述のように、収容部２０の天部２２に立設して上部フィン３１の各々を連結するセンターフィン３３を有することが好ましい。センターフィン３３は、例えば天部２２の中心を通ってＹ方向に延び、各上部フィン３１に対して略垂直に形成される。また、センターフィン３３は、天部２２の端からＹ方向に張り出している。センターフィン３３は、天部２２のＹ方向両端からフランジ２３の先端を超えてＹ方向両側に張り出すことが好ましい。
【００４３】
また、器具本体１２は、放熱フィン３０として、センターフィン３３の上記張り出し部（天部２２の端からＹ方向に張り出した部分）からＸ方向両側に延びた補助フィン３４を有する。本実施形態では、器具本体１２のＹ方向両端部に、３つずつ合計６つの補助フィン３４が形成されている。また、器具本体１２には、センターフィン３３（Ｙ方向）に沿って筒壁２１から外側に張り出した部分と、その先端部からＸ方向両側に延出した部分とを有する略Ｔ字形状または略十字形状の下部補助フィン３５が形成されている。
【００４４】
複数の補助フィン３４のうち、センターフィン３３のＹ方向両端部のそれぞれで最もＹ方向中央側に形成された２つの補助フィン３４ａは、下部補助フィン３５上に形成されている。すなわち、補助フィン３４ａは下部補助フィン３５を介してフランジ２３上に配置される。他方、残り４つの補助フィン３４ｂは、フランジ２３よりもＹ方向外側に形成されている。なお、Ｘ方向に並んで形成される２つの補助フィン３４ａのうち貫通孔４６側に位置する一方のフィンは、他方のフィンよりＸ方向長さが短い。これにより、補助フィン３４ａと上枠４０の貫通孔４６に挿通される吊り金具との干渉を避けることができる。
【００４５】
器具本体１２は、少なくとも下端部がＸ方向およびＹ方向に縮小していることが好適である。器具本体１２では、収容部２０が形成された範囲（例えば、器具本体１２の下端から器具本体１２の上下方向長さの１５％〜４０％の範囲）がＸ方向およびＹ方向に縮小している。言い換えると、上部フィン３１、センターフィン３３、および補助フィン３４が形成された器具本体１２の上部が、ＸＹ平面方向に張り出している。器具本体１２の下端部の外接円（ＸＹ平面方向に沿った外接円）の直径は、上部フィン３１等が形成された器具本体１２の上部の外接円の直径よりも小さく、例えば上部の外接円の直径の１／３〜２／３程度である。
【００４６】
上部フィン３１の各々は、センターフィン３３が延びるＹ方向に間隔をあけて、Ｘ方向に沿って互いに略平行に形成されている。上部フィン３１同士の間隔は、それぞれ同一であってもよく、器具本体１２のＹ方向両端に近づくほど次第に広がっていてもよい。つまり、隣り合う上部フィン３１の間隙３６の幅（Ｙ方向長さ）は、それぞれ同一であってもよく、器具本体１２のＹ方向両端に近づくほど次第に広がっていてもよい。上述のように、下部フィン３２は上部フィン３１と上下方向に並んで形成されることが好ましいため、下部フィン３２もＸ方向に沿って互いに略平行に形成される。
【００４７】
補助フィン３４についても、上部フィン３１と同様に、Ｙ方向に間隔をあけて、Ｘ方向に沿って互いに略平行に形成されている。このため、上部フィン３１と補助フィン３４とは略平行に配置される。隣り合う補助フィン３４の間隙３６は、隣り合う上部フィン３１の間隙３６より広くてもよく、Ｙ方向両端に近づくほど次第に広がっていてもよい。補助フィン３４の間隙３６は、上部フィン３１の場合と同様に、上下方向両端が開口している。
【００４８】
上部フィン３１および補助フィン３４の各々は、センターフィン３３からＸ方向両側に延出している。また、センターフィン３３の両側で、２枚の上部フィン３１および２枚の補助フィン３４はそれぞれ、Ｘ方向に沿って同一直線上に形成されている。この場合、センターフィン３３の両側で放熱特性が均一になり易い。ただし、センターフィン３３の両側で上部フィン３１、補助フィン３４の位置がＹ方向にずれていてもよい。すなわち、各フィンはＸ方向に沿って同一直線上に形成されていなくてもよい。
【００４９】
上部フィン３１および補助フィン３４の各々は、互いに略同一の上下方向長さを有していてもよく、各フィンの上端は略同じＸＹ平面上に位置していてもよい。他方、上部フィン３１および補助フィン３４のＸ方向長さは、補助フィン３４の方が短く、器具本体１２のＹ方向両端に近づくほど次第に短くなることが好ましい。例えば、Ｙ方向両端寄りのフィンは、Ｙ方向中央寄りのフィンと比較して温度上昇が小さいので、Ｘ方向長さを短くしても放熱性は損なわれず、寧ろ軽量化、小型化、材料コストの低減につながる。なお、器具本体１２のＹ方向両端に近づくほど、フィンの上下方向長さを次第に短くしてもよい。
【００５０】
複数の放熱フィン３０の少なくとも１つは、収容部２０の中央側に位置する部分よりもＸＹ平面方向の外端側で薄肉に形成されることが好ましい。特に、ＸＹ平面方向の外端に近づくほど、次第にフィンの厚みが薄くなることが好適である。本実施形態では、上部フィン３１および補助フィン３４の各々が、センターフィン３３との接続部で最も分厚く、Ｘ方向外端に近づくにつれて次第に厚みが薄くなった先細り形状を有する。
【００５１】
上部フィン３１および補助フィン３４は、外端に近い部分ほど温度上昇が小さいので、当該部分の厚みを薄くしても放熱性は損なわれず、寧ろ軽量化、材料コストの低減につながる。なお、下部フィン３２も同様に、Ｘ方向外端に向かって薄肉化された先細り形状を有していてもよい。他方、センターフィン３３は、Ｙ方向両端の補助フィン３４まで熱が伝わり易いように、一定の厚みで形成されることが好ましい。
【００５２】
上部フィン３１および補助フィン３４の下端部は、他の部分よりも厚肉に形成されていてもよい。この場合、光源１１に近い各フィンの下端部の熱容量が大きくなるため、例えば各フィンのＸ方向外側に熱を素早く拡散できる。また、器具本体１２は、ダイカスト法により成形されるため、成形品を金型から押し出す際に、当該下端部を押し出しピンの当接部として利用できる。
【００５３】
本実施形態では、上下方向両端が開口した放熱フィン３０の間隙３６が、隣り合う上部フィン３１同士の間、隣り合う上部フィン３１と補助フィン３４との間、および隣り合う補助フィン３４同士の間にそれぞれ形成されている。上部フィン３１がＸ方向両側に、補助フィン３４がＹ方向両側にそれぞれ張り出し、器具本体１２の下部がＸＹ方向に縮小した形状とすることで、上下方向両端が開口した当該各フィンの間隙３６が形成される。
【００５４】
また、器具本体１２には、上部フィン３１および補助フィン３４のＸＹ平面方向に張り出した部分の下方に空間が形成されている。また、この空間は、収容部２０の周囲に形成され、上部フィン３１および補助フィン３４の間隙３６と連通している。器具本体１２では、上部フィン３１および補助フィン３４の上下に障害物が無く、収容部２０の周囲に空間が形成されるため、当該各フィンの間隙３６に空気が流入し易い。このため、器具本体１２の上部では効率良く対流が起こって良好な放熱性が得られる。なお、下部フィン３２の間隙は、下端側がフランジ２３によって閉じられているため、上部フィン３１等に比べて対流が起こり難い構造となっている。
【００５５】
図８に示すように、少なくとも１つの上部フィン３１の下部には、ＸＹ平面方向の外端から当該方向に沿ってリード線係止用の切込みであるフィンスリット３７が形成されていてもよい。器具本体１２では、２つの上部フィン３１の間に、収容部２０内からリード線１７を引き出すためのスリット２４が形成されており、当該２つの上部フィン３１の一方にフィンスリット３７が形成されている。
【００５６】
フィンスリット３７は、例えば上部フィン３１の下部において、フィンの先端からＸ方向に沿って形成される。フィンスリット３７は、上部フィン３１のＸ方向全長にわたって、または天部２２の端から張り出した部分の全長にわたって形成されてもよい。フィンスリット３７は、上部フィン３１の下部において、例えば厚肉に形成された下端部を残して形成される。この場合、収容部２０から引き出されたリード線１７は、フィンスリット３７に挿入され、上部フィン３１の下端部に巻き付けられる。
【００５７】
また、上記２つの上部フィン３１の他方には、当該フィンの先端部に、結束バンド３９を挿通可能な貫通孔３８が形成されていてもよい。貫通孔３８は、例えばＹ方向にフィンスリット３７と対向する位置に形成される。図８に示す例では、貫通孔３８が形成された上部フィン３１の下にリード線１７が通され、貫通孔３８に挿通された結束バンド３９によってリード線１７が当該フィンに固定されている。上部フィン３１の下方には上記空間が存在するため、収容部２０の近傍で、このようなリード線１７の固定が可能となる。
【００５８】
以下、図６〜図８に加えて、図９および図１０を適宜参照する。図９は、器具本体１２のスリット２４が形成された部分およびその近傍の拡大図、図１０はスリット２４を塞ぐパッキン５０の斜視図である。
【００５９】
図６〜図９に示すように、収容部２０は、筒壁２１を貫通して収容部２０の下端から天部２２側に延びるリード線挿通用のスリット２４と、スリット２４と連接してスリット２４の両側に形成されたパッキン５０の収容溝２５とを有する。パッキン５０は、各収容溝２５に挿し込まれてリード線１７に当接すると共に、リード線１７が通るスペースを残してスリット２４を塞いでいる。スリット２４によってリード線１７を収容部２０内から引き出すことができ、パッキン５０によって筒壁２１の隙間を塞ぎ、収容部２０内に虫等が侵入することを防止できる。また、パッキン５０は、例えばリード線１７の張力止め部材として機能する。
【００６０】
スリット２４は、収容部２０の筒壁２１において、例えばＹ方向に隣り合う２つの上部フィン３１、下部フィン３２の間に形成される。照明器具１０では天部２２の内面に発光モジュール１９が固定されるので、スリット２４は、筒壁２１の上下方向全長にわたって、すなわち収容部２０の下端から天部２２にわたって形成されることが好ましい。この場合、収容部２０内におけるリード線１７の配索が容易になる。スリット２４の幅は、例えばリード線１７の直径よりもやや大きい。
【００６１】
スリット２４および収容溝２５は、フランジ２３の下面に開口している。このため、パッキン５０は、当該開口からスリット２４および収容溝２５に挿し込むことができる。スリット２４の縁部のうち天部２２側に位置する縁部、すなわちスリット２４の上縁部分には、当該縁部の表面がリード線１７の表面に沿うように窪んだ凹部２６（本体側凹部）が形成されることが好ましい。凹部２６を設けることで、スリット２４の上縁部分がリード線１７の表面に沿って接触し、リード線１７と筒壁２１との間に大きな隙間が形成され難くなる。なお、２つのパッキンを用いてリード線１７を上下から挟持することも可能である。
【００６２】
収容溝２５は、スリット２４の両側において、筒壁２１の周方向にスリット２４と並んで形成されている。また、収容溝２５は、スリット２４と連通して筒壁２１内に形成されている。スリット２４の両側に形成される２つの収容溝２５はパッキン５０の幅方向両端部を収容し、これにより筒壁２１内にパッキン５０が保持される。例えば、スリット２４の両側に形成される筒壁２１の厚肉部に収容溝２５を形成してもよく、スリット２４の両側に形成される下部フィン３２を利用して収容溝２５を形成してもよい。後者の場合、下部フィン３２内に収容溝２５が形成されているとも言える。
【００６３】
収容溝２５は、スリット２４と同様に、収容部２０の下端から天部２２側に延びる。収容溝２５は、スリット２４より上下方向に短くてもよいが、リード線１７に対する密着性を向上させるためには、スリット２４と略同じ上下方向長さで形成されることが好ましい。各収容溝２５の深さ（筒壁２１の周方向に沿った長さ）は、スリット２４の幅と略同じであってもよく、パッキン５０の幅の１０％〜４０％であってもよい。収容溝２５は、スリット２４の側壁が筒壁２１の周方向に窪んで形成された凹部であると言える。
【００６４】
収容溝２５は、収容部２０の天部２２に近づくほど、筒壁２１の周方向および厚み方向の少なくとも一方に縮小していてもよい。好ましくは、天部２２に近づくほど、筒壁２１の周方向および厚み方向に沿った収容溝２５の長さ（収容溝２５の深さ、幅）が次第に小さくなる。なお、パッキン５０は収容溝２５の当該形状に対応した形状を有する。この場合、パッキン５０の筒壁２１との良好な密着性を確保しながら、収容溝２５にパッキン５０を挿入し易くなる。
【００６５】
スリット２４およびその両側に形成された２つの収容溝２５には、上述のように、パッキン５０が挿し込まれ、これによりリード線１７が通るスペースを残してスリット２４が塞がれる。パッキン５０がスリット２４に挿し込まれた状態で、スリット２４の上縁に形成された凹部２６と、パッキン５０の後述する凹部５６とが上下方向に並ぶことで、略真円形状のスリット２４が通るスペース（貫通孔）が形成される。
【００６６】
本実施形態では、収容部２０のフランジ２３の下面に支持部材１６が固定され、この支持部材１６によってパッキン５０が支持されている。パッキン５０は、スリット２４および収容溝２５より上下方向にやや長く形成されていてもよく、パッキン５０の下端部がスリット２４および収容溝２５の開口から少しとび出していてもよい。この場合、支持部材１６によって、パッキン５０が圧縮され、スリット２４の縁部、収容溝２５の壁面、およびリード線１７に対して強く押し付けられる。このため、パッキン５０とこれらとの良好な密着性が得られる。
【００６７】
図９に示すように、リード線１７には、スリット２４の縁部において筒壁２１の内面に当接するストッパ６０が取り付けられることが好ましい。ストッパ６０は、リード線１７の張力止め部材として機能する。例えば、リード線１７が引っ張られたときに、ストッパ６０が筒壁２１の内面に引っ掛かることで、その力が当該内面に作用し、リード線１７と発光モジュール１９の接続部にかかる負荷を軽減できる。リード線１７に押し付けられるパッキン５０もリード線１７の張力止めに寄与するが、ストッパ６０を設けることで、より確実な張力止めが可能となる。
【００６８】
リード線１７は、リード線１７ａ，１７ｂ，１７ｃのように、複数本設けられていてもよい。この場合、ストッパ６０として、複数のリード線１７を結束する結束バンドを用いてもよい。リード線１７は、結束バンドが取り付けられた部分で、当該バンドを含むリード線１７の直径がスリット２４の幅よりも大きくなる。結束バンドは、複数のリード線１７を束ねると共に、筒壁２１の内面に当接してリード線１７の張力止め部材として機能する。なお、リード線１７が複数本存在しない場合であっても、結束バンドをストッパ６０として用いてもよい。
【００６９】
図１０に示すように、パッキン５０は、扁平なブロック状の部材であって、支持部材１６に押圧されて弾性変形するゴム製部材で構成されることが好ましい。パッキン５０を透過して光が漏れないように、例えば黒色のパッキン５０が用いられる。図１０に例示するパッキン５０は、厚み＜幅＜高さの寸法を有し、厚み方向が筒壁２１の厚み方向に、高さ方向が筒壁２１の上下方向にそれぞれ沿うように、スリット２４および収容溝２５に挿し込まれる。
【００７０】
パッキン５０は、収容部２０の天部２２側に配置される上端側に向かって幅および厚みの少なくとも一方が縮小したテーパ形状を有していてもよい。器具本体１２では、天部２２に近づくほど筒壁２１の周方向および厚み方向に沿った収容溝２５の長さが次第に小さくなっているので、パッキン５０は収容溝２５の当該形状に合わせて、上端に近づくほど幅および厚みが次第に縮小している。この場合、パッキン５０と収容溝２５の側壁との良好な密着性を確保でき、かつ収容溝２５にパッキン５０を挿入し易くなる。
【００７１】
パッキン５０は、厚み方向に沿った各側面に形成される第１凸部５１を有していてもよい。図１０に示す例では、当該各側面の上下方向全長にわたって第１凸部５１が直線状に形成されている。第１凸部５１は、筒壁２１の周方向両側に突出して各収容溝２５の壁面に当接する。パッキン５０の幅方向両側面に第１凸部５１を設けることで、パッキン５０の側面と収容溝２５との良好な密着性を確保でき、かつ収容溝２５にパッキン５０を挿入し易くなる。また、パッキン５０の下端部には、幅方向中央部から厚み方向両側に突出した第２凸部５２が形成されていてもよい。第２凸部５２はスリット２４内に配置され、パッキン５０の取り付け安定性を向上させる。
【００７２】
パッキン５０の端部のうち天部２２側に配置される上端部には、当該上端部の表面がリード線１７の表面に沿うように窪んだ凹部５６（パッキン側凹部）が形成されることが好ましい。凹部５６は、パッキン５０の上端部において幅方向中央部に形成されている。凹部５６を設けることで、パッキン５０の上端部がリード線１７の表面に沿って接触し、リード線１７とパッキン５０との間に大きな隙間が形成され難くなる。上述のように、凹部５６は器具本体１２の凹部２６と上下方向に並ぶ位置に形成され、凹部２６と共に略真円形状のスリット２４が通る貫通孔を形成する。
【００７３】
以上のように、照明器具１０では、上部フィン３１および補助フィン３４が外側に張り出し、器具本体１２の下部がＸＹ方向に縮小した形状とすることで、上下方向両端が開口したフィンの間隙３６が形成され、また器具本体１２の下部の周囲に空間が形成される。このため、上部フィン３１および補助フィン３４の間隙３６には空気が流入し易く、器具本体１２の上部で効率良く対流が起こる。したがって、照明器具１０によれば、良好な放熱性が得られ、器具の温度上昇を抑制できる。
【００７４】
また、収容部２０の筒壁２１にリード線挿通用のスリット２４と、パッキン５０の収容溝２５とを形成し、スリット２４および収容溝２５にパッキン５０を挿し込んでリード線１７に密着させることで、収容部２０内に虫等が入り得る隙間が塞がれる。かかるシール構造は、組立が容易であり、かつ密閉性に優れる。さらに、ストッパ６０をリード線１７に取り付けることで、簡便でありながら十分なリード線１７の張力止めが可能となる。このため、収容部２０内でリード線１７を引き回すような張力止め構造を設ける必要がなく、器具本体１２の小型化を図ることが可能である。なお、フィンスリット３７を用いたリード線１７の固定によっても、リード線１７と発光モジュール１９の接続部にかかる負荷が軽減される。
【符号の説明】
【００７５】
１０  照明器具、１１  光源、１２  器具本体、１３  枠体、１４  筒体、１５  透光性カバー、１６  支持部材、１７，１７ａ，１７ｂ，１７ｃ  リード線、１８  回路基板、１９  発光モジュール、２０  収容部、２１  筒壁、２２  天部、２３  フランジ、２４  スリット、２５  収容溝、２６，５６  凹部、２７  反射体、２８  ゴム部材、３０  放熱フィン、３１  上部フィン、３２  下部フィン、３３  センターフィン、３４，３４ａ，３４ｂ  補助フィン、３５  下部補助フィン、３６  間隙、３７  フィンスリット、３８，４５，４６  貫通孔、３９  結束バンド、４０  上枠、４１  下枠、４２  連結フレーム、４３  基部、４４  固定片、４７  リング状カバー、４８  筒体用支持部材、４９  係合バネ、５０  パッキン、５１  第１凸部、５２  第２凸部、６０  ストッパ
【図１】
2019029202.tif 000003
【図２】
2019029202.tif 000004
【図３】
2019029202.tif 000005
【図４】
2019029202.tif 000006
【図５】
2019029202.tif 000007
【図６】
2019029202.tif 000008
【図７】
2019029202.tif 000009
【図８】
2019029202.tif 000010
【図９】
2019029202.tif 000011
【図１０】
2019029202.tif 000012